(57)【要約】【課題】必要な光路長を確保しつつ、非撮影時に全長を短縮することができる折り曲げ光学部を備える撮影レンズ装置及びそのカメラを提供する。【解決手段】光路を折り曲げる折り曲げ光学部（６）と、光軸が折り曲げ光学部の折り曲げ後の光軸と一直線上に重なるように配置され、光軸方向に移動可能な少なくとも一つ以上の移動レンズ群を有する複数のレンズ群（７、８、９、１０）と、移動レンズ群を光軸方向に移動させる移動レンズ群移動機構（７ａ、９ａ、１３、１６ｂ、１７）と、を備えた撮影レンズ装置であって、撮影時に、折り曲げ光学部と移動レンズ群との間に移動レンズ群が移動可能な移動空間（ａ）が設けられ、非撮影時に、折り曲げ光学部を移動空間内に移動させる折り曲げ光学部移動機構（４ａ、１３、１８、１９、２０、２１ａ、２１ｂ、２２、２４）を備えた。【選択図】      図３
2005037548.tif 000002
【特許請求の範囲】
【請求項１】
光路を折り曲げる折り曲げ光学部と、
光軸が前記折り曲げ光学部の折り曲げ後の光軸と一直線上に重なるように配置され、光軸方向に移動可能な少なくとも一つ以上の移動レンズ群を有する複数のレンズ群と、
前記移動レンズ群を光軸方向に移動させる移動レンズ群移動機構と、
を備えた撮影レンズ装置であって、
撮影時に、前記折り曲げ光学部と前記移動レンズ群との間に前記移動レンズ群が移動可能な移動空間が設けられ、
非撮影時に、前記折り曲げ光学部を前記移動空間内に移動させる折り曲げ光学部移動機構を備えることを特徴とする撮影レンズ装置。
【請求項２】
請求項１記載の撮影レンズ装置において、
前記折り曲げ光学部移動機構は、
前記折り曲げ光学部を、所定の軸を中心に回動させて前記移動空間内に移動させるように構成されていることを特徴とする撮影レンズ装置。
【請求項３】
請求項１記載の撮影レンズ装置において、
前記折り曲げ光学部移動機構は、
前記折り曲げ光学部を、折り曲げ後の光軸方向にスライドさせて前記移動空間内に移動させるように構成されていることを特徴とする撮像レンズ装置。
【請求項４】
光路を折り曲げる折り曲げ光学部と、
光軸が前記折り曲げ光学部の折り曲げ後の光軸と一直線上に重なるように配置され、光軸方向に移動可能な少なくとも一つ以上の移動レンズ群を有する複数のレンズ群と、
前記移動レンズ群を光軸方向に移動させる移動レンズ群移動機構と、を備えた撮影レンズ装置であって、
前記複数のレンズ群のうち少なくとも一つのレンズ群を、光路内の撮影位置と、光路から外れた退避位置とに移動させるレンズ群退避移動機構と、
前記レンズ群退避移動機構によって退避位置とされたレンズ群が占有していた前記光路内の占有空間内に、前記折り曲げ光学部を移動させる折り曲げ光学部移動機構と、を備えることを特徴とする撮影レンズ装置。
【請求項５】
光路を折り曲げる折り曲げ光学部と、
光軸が前記折り曲げ光学部の折り曲げ後の光軸と一直線上に重なるように配置され、光軸方向に移動可能な少なくとも一つ以上の移動レンズ群を有する複数のレンズ群と、前記移動レンズ群を光軸方向に移動させる移動レンズ群移動機構と、
を備えた撮影レンズ装置であって、
前記折り曲げ光学部を光路内の撮影位置と、光路から外れ且つ前記撮影位置よりも折り曲げ後の光の進路方向側に位置する退避位置とに移動させる折り曲げ光学部退避移動機構を備えることを特徴とする撮影レンズ装置。
【請求項６】
請求項５記載の撮影レンズ装置において、
前記折り曲げ光学部退避移動機構は、
前記折り曲げ光学部を、リンクを利用して前記退避位置に移動させるように構成されていることを特徴とする撮影レンズ装置。
【請求項７】
請求項１〜６の何れか一項に記載の撮影レンズ装置において、
前記折り曲げ光学部及び前記複数のレンズ群により結像した被写体像を撮像する撮像素子と、
前記撮像素子を折り曲げ後の光軸方向に移動させる撮像素子移動機構と、
を備えることを特徴とする撮影レンズ装置。
【請求項８】
請求項１〜６の何れか一項に記載の撮影レンズ装置において、
前記複数のレンズ群により結像した被写体像を撮像する撮像素子と、
前記撮像素子を光路内の撮影位置と、光路から外れ且つ前記撮影位置よりも前記折り曲げ光学部側に位置する退避位置とに移動させる撮像素子退避移動機構と、を備えることを特徴とする撮影レンズ装置。
【請求項９】
請求項７に記載の撮影レンズ装置において、
前記複数のレンズ群の間にシャッタユニットが固定されて設けられ、
前記折り曲げ光学部移動機構、前記移動レンズ群移動機構及び前記撮像素子移動機構は、各々前記折り曲げ光学部、前記移動レンズ群及び前記撮像素子を前記シャッタユニット側に移動可能に構成されていることを特徴とする撮影レンズ装置。
【請求項１０】
請求項１〜９の何れか一項に記載の撮影レンズ装置を、撮影時における前記複数のレンズ群の光軸方向がカメラ本体の高さ方向となるように配置してなることを特徴とするカメラ。
【発明の詳細な説明】
【０００１】
【発明の属する技術分野】
本発明は、折り曲げ光学部を備えている撮影レンズ装置及びカメラに関する。
【０００２】
【従来の技術】
近年、デジタルスチルカメラ或いはデジタルカメラ等と称され、被写体光学像を、例えばＣＣＤ（電荷結合素子）撮像素子により撮像して、被写体の静止画像又は動画像の画像データを得て、ＩＣ（集積回路）又は磁気記録媒体等にデジタル的に記録するタイプのカメラが実用化され広く普及している。
【０００３】
カメラは使用者によって野外等に持ち出されて使用されるのが普通であるので、携帯性が重要視されており、カメラ自体のより一層の薄型化及び小型化が望まれている。
しかし、一般的なデジタルカメラ等に備えられている撮像素子や光学フィルタはある程度の厚みがある上に、これらの部品を保持する枠も必要となるため、カメラ本体が厚くなってしまう。
【０００４】
そこで、上記の問題点を解消するために、いわゆる折り曲げ光学部を備えたカメラが知られている（例えば、特許文献１）。
折り曲げ光学部を備えるカメラにおいては、カメラ本体の前方より第一の光軸に沿って入射した被写体からの光束を、ミラーやプリズム等の反射部材により該第一の光軸に対して略直角方向に折り曲げるように構成されている。従って、撮像レンズ群をカメラ本体に対して高さ方向（縦方向）に配置できることとなるため、カメラ本体の薄型化を図ることができる。特に、移動量が大きい移動レンズ群を備えるカメラにおいて、必要な光路長を確保しながら薄型化できるという利点がある。
【０００５】
【特許文献】
特開平１１−３０５３１２号公報
【０００６】
【解決しようとする課題】
しかしながら、折り曲げ光学部を備えたカメラの高さは、撮影レンズ装置の全長によって決まることとなるので、カメラ本体の高さ設計上の自由度が制約を受ける。すなわち、必要な光路長を確保するために移動レンズ群間にスペースを設けなければならず、高さをより低くしたカメラの提供が困難であるという問題点があった。また、撮影レンズ装置をカメラの幅方向（横方向）に備える場合にも、幅方向の長さが制約を受けるために同様の問題が生じていた。
【０００７】
そこで、本発明の課題は、必要な光路長を確保しつつ、非撮影時に全長を短縮することができる折り曲げ光学部を備える撮影レンズ装置及びカメラを提供することである。
【０００８】
【課題を解決するための手段】
上記課題を解決するため、請求項１記載の発明は、
光路を折り曲げる折り曲げ光学部と、
光軸が前記折り曲げ光学部の折り曲げ後の光軸と一直線上に重なるように配置され、光軸方向に移動可能な少なくとも一つ以上の移動レンズ群を有する複数のレンズ群と、
前記移動レンズ群を光軸方向に移動させる移動レンズ群移動機構と、
を備えた撮影レンズ装置であって、
撮影時に、前記折り曲げ光学部と前記移動レンズ群との間に前記移動レンズ群が移動可能な移動空間が設けられ、
非撮影時に、前記折り曲げ光学部を前記移動空間内に移動させる折り曲げ光学部移動機構を備えることを特徴とする。
【０００９】
請求項１記載の発明によれば、折り曲げ光学部移動機構により折り曲げ光学部を移動レンズ群の移動空間内に移動させることによって、非撮影時には、該移動空間を折り曲げ光学部の収納スペースとして利用することができる。従って、撮影時に必要な光路長を確保しつつ、非撮影時における撮影レンズ装置の全長をより短縮することができる。
【００１０】
請求項２記載の発明は、
請求項１記載の撮影レンズ装置において、
前記折り曲げ光学部移動機構は、
前記折り曲げ光学部を、所定の軸を中心に回動させて前記移動空間内に移動させるように構成されていることを特徴とする。
【００１１】
請求項２記載の発明によれば、請求項１記載の発明と同様の効果が得られるのは無論のこと、特に、折り曲げ光学部を所定の軸を中心に回動させることによって、移動レンズ群の移動空間内に容易に移動させることができる。
【００１２】
請求項３記載の発明は、
請求項１記載の撮影レンズ装置において、
前記折り曲げ光学部移動機構は、
前記折り曲げ光学部を、折り曲げ後の光軸方向にスライドさせて前記移動空間内に移動させるように構成されていることを特徴とする。
【００１３】
請求項３記載の発明によれば、請求項１記載の発明と同様の効果が得られるのは無論のこと、特に、折り曲げ光学部を光軸方向にスライドさせることによって、移動レンズ群の移動空間内に容易に移動させることができる。
【００１４】
請求項４記載の発明は、
光路を折り曲げる折り曲げ光学部と、
光軸が前記折り曲げ光学部の折り曲げ後の光軸と一直線上に重なるように配置され、光軸方向に移動可能な少なくとも一つ以上の移動レンズ群を有する複数のレンズ群と、
前記移動レンズ群を光軸方向に移動させる移動レンズ群移動機構と、
を備えた撮影レンズ装置であって、
前記複数のレンズ群のうち少なくとも一つのレンズ群を光路内の撮影位置と、光路から外れた退避位置とに移動させるレンズ群退避移動機構と、
前記レンズ群退避移動機構によって退避位置とされたレンズ群が占有していた前記光路内の占有空間内に、前記折り曲げ光学部を移動させる折り曲げ光学部移動機構と、を備えることを特徴とする。
【００１５】
請求項４記載の発明によれば、折り曲げ光学部移動機構により撮影時にレンズ群が占有していた光路内の占有空間内に折り曲げ光学部を移動させることによって、レンズ群の占有空間を折り曲げ光学部の収納スペースとして利用することができる。従って、撮影時に必要な光路長を確保しつつ、非撮影時における撮影レンズ装置の全長をより短縮することができる。
【００１６】
請求項５記載の発明は、
光路を折り曲げる折り曲げ光学部と、
光軸が前記折り曲げ光学部の折り曲げ後の光軸と一直線上に重なるように配置され、光軸方向に移動可能な少なくとも一つ以上の移動レンズ群を有する複数のレンズ群と、
前記移動レンズ群を光軸方向に移動させる移動レンズ群移動機構と、
を備えた撮影レンズ装置であって、
前記折り曲げ光学部を光路内の撮影位置と、光路から外れ且つ前記撮影位置よりも折り曲げ後の光の進路方向側に位置する退避位置とに移動させる折り曲げ光学部退避移動機構を備えることを特徴とする。
【００１７】
請求項５記載の発明によれば、折り曲げ光学部を光路内の撮影位置と、光路内から外れ且つ撮影位置よりも折り曲げ後の光の進路方向側に位置する退避位置とに移動させることによって、撮影時に必要な光路長を確保しつつ、非撮影時における撮影レンズ装置の全長をより短縮することができる。
【００１８】
請求項６記載の発明は、
請求項５記載の撮影レンズ装置において、
前記折り曲げ光学部退避移動機構は、
前記折り曲げ光学部を、リンクを利用して前記退避位置に移動させるように構成されていることを特徴とする。
【００１９】
請求項６記載の発明によれば、請求項５記載の発明と同様の効果が得られるのは無論のこと、特に、折り曲げ光学部をリンクを利用して退避位置に移動させるので、複雑な機構を組み立てる必要がない。
【００２０】
請求項７記載の発明は、
請求項１〜６の何れか一項に記載の撮影レンズ装置において、
前記折り曲げ光学部及び前記複数のレンズ群により結像した被写体像を撮像する撮像素子と、
前記撮像素子を折り曲げ後の光軸方向に移動させる撮像素子移動機構と、を備えることを特徴とする。
【００２１】
請求項７記載の発明によれば、請求項１〜６記載の発明と同様の効果が得られるのは無論のこと、特に、撮像素子を光軸方向に移動させることによって、非撮影時における撮影レンズ装置の全長をさらに短縮することができる。
【００２２】
請求項８記載の発明は、
請求項１〜６の何れか一項に記載の撮影レンズ装置において、
前記複数のレンズ群により結像した被写体像を撮像する撮像素子と、
前記撮像素子を光路内に位置する撮影位置と、光路内から外れ且つ前記撮影位置よりも前記折り曲げ光学部側に位置する退避位置とに移動させる撮像素子退避移動機構と、を備えることを特徴とする。
【００２３】
請求項８記載の発明によれば、請求項１〜６記載の発明と同様の効果が得られるのは無論のこと、特に、撮像素子を光路内に位置する撮影位置と、光路内から外れ且つ撮影位置よりも折り曲げ光学部側に位置する退避位置とに移動させることによって、非撮影時における撮影レンズ装置の全長をさらに短縮することができる。
【００２４】
請求項９記載の発明は、
請求項７に記載の撮影レンズ装置において、
前記複数のレンズ群の間に固定されてシャッタユニットが設けられ、
前記折り曲げ光学部移動機構、前記移動レンズ群移動機構及び前記撮像素子移動機構は、各々前記折り曲げ光学部、前記移動レンズ群及び前記撮像素子を前記シャッタユニット側に移動可能に構成されていることを特徴とする。
【００２５】
請求項９記載の発明によれば、請求項７記載の発明と同様の効果が得られるのは無論のこと、折り曲げ光学部、移動レンズ群、撮像素子がシャッタユニット側に移動可能に構成されているので、折り曲げ光学部及び移動レンズ群より一般的に径の大きいシャッタユニットを移動させる必要がない。従って、シャッタユニットを移動させる場合に必要となる径方向のスペースが不要となり、撮影レンズ装置をよりコンパクト化できる。
【００２６】
請求項１０記載のカメラは、
請求項１〜９の何れか一項に記載の撮影レンズ装置において、
撮影時における前記複数のレンズ群の光軸方向がカメラ本体の高さ方向となるように配置されていることを特徴とする。
【００２７】
請求項１０記載の発明によれば、請求項１〜９の何れか一項に記載の発明と同様の効果が得られるのは無論のこと、特に、非撮影時におけるカメラの高さを低くすることができる。
【００２８】
【発明の実施の形態】
以下、図を参照して本発明の実施の形態を詳細に説明する。
［第１の実施の形態］
まず、本発明に係るカメラの第１の実施の形態について説明する。図１は、第１の実施の形態によるカメラの撮影時の前面斜視図、図２は、図１のカメラに搭載される撮影レンズ装置のレンズ群の位置を示す模式図、図３は、図２の撮影レンズ装置の正面図、図４は、図３の撮影レンズ装置内の折り曲げ光学部移動機構の要部の分解斜視図、図５は、図１のカメラの非撮影時の前面斜視図、図６は、図５のカメラの撮影レンズ装置のレンズ群の位置を示す模式図である。
【００２９】
図１に示すように、カメラ１は、カメラ本体としての略直方体形状の筐体２と、筐体２内のカメラ前方右側部に収納される撮影レンズ装置３を備えている。
撮影レンズ装置３は、被写体からの光束の光路を折り曲げる折り曲げ光学部４と、この折り曲げ光学部４により折り曲げられた光を通過させて結像する複数のレンズ群を備えている。
折り曲げ光学部４は、図２、３に示すように、第１レンズ枠５ａに嵌め込まれた前レンズ５１と後レンズ５２からなる第一レンズ群５と、この第一レンズ群５の前レンズ５１と後レンズ５２との間に配置され、前レンズ５１により集光した光の光路を９０度折り曲げるプリズム６と、を備えて構成されている。
【００３０】
複数のレンズ群は、折り曲げ光学部４の像側に配置される移動レンズ群としての第二レンズ群７と、この第二レンズ群７の像側に配置される固定の第三レンズ群８と、この第三レンズ群８の像側に配置される第四レンズ群９と、この第四レンズ群９の像側に配置される固定の第五レンズ群１０であり、第二レンズ群７〜第五レンズ群１０の光軸は、プリズム６により折り曲げられて後レンズ５２を通過した光の光軸と一直線上に重なるように配置されている。
また、撮影レンズ装置３は、第五レンズ群１０により結像した光を撮像する撮像素子としてのＣＣＤ１１と、第二レンズ群７と第三レンズ群８との間に固定されて設けられるシャッタユニット１２と、２本のガイドポール１３と、折り曲げ光学部４を回転移動させる折り曲げ光学部移動機構、移動レンズ群を光軸方向に移動させる移動レンズ群移動機構も備えている。
【００３１】
第二レンズ群７は、第二レンズ枠７ａに保持されている。第二レンズ枠７ａの右側部は、ガイドポール１３に貫通されており、モータ（図示省略）の駆動によって光軸方向にスライド移動可能に構成されている。
一方、第二レンズ枠７ａの左側部には、ガイドポール１３に摺動自在に係合される第二レンズ枠係合部１４が設けられている。この第二レンズ枠係合部１４がガイドポール１３と係合することによって、ガイドポール１３が第二レンズ枠７ａが支持される構成となっている。
そして、第二レンズ群７は、折り曲げ光学部４とシャッタユニット１２との間の移動空間ａ内を光軸方向に移動可能に設けられ、撮影時には、第一レンズ群５との間の光学距離を調整することにより変倍動作を行うことが可能となっている。
また、非撮影時には、第二レンズ群７は移動空間ａの最下方に位置して、第一レンズ群５と第二レンズ群７との間に、第二レンズ群７が移動可能な大きな移動空間ａが形成される。
なお、第二レンズ枠７ａ、ガイドポール１３、第二レンズ枠係合部１４、モータ（図示省略）等は、第二レンズ群７を光軸方向に移動させる移動レンズ群移動機構として機能する。
【００３２】
第三レンズ群８は、第三レンズ枠８ａに保持されている。第三レンズ枠８ａの両端部は、ガイドポール１３に固定されている。
シャッタユニット１２は、ガイドポール１３に固定されており、光量を調節する絞りとしての機能を有する。
【００３３】
第四レンズ群９は、第四レンズ枠９ａに保持されている。第四レンズ枠９ａの右側部は、ガイドポール１３に貫通されており、モータ（図示省略）の駆動によって光軸方向にスライド移動可能に構成されている。
一方、第四レンズ枠９ａの左側部には、ガイドポール１３に摺動自在に係合される第四レンズ枠係合部１５が設けられている。この第四レンズ枠係合部１５がガイドポール１３に係合することによって、ガイドポール１３が第四レンズ枠９ａが支持される構成となっている。
なお、モータ、第四レンズ枠９ａ、ガイドポール１３、第四レンズ枠係合部１５は、第四レンズ群９を光軸方向に移動させる移動レンズ群移動機構として機能する。
第五レンズ群１０は、ＣＣＤ１１とともにＣＣＤ保持部１６ａに保持されている。
ＣＣＤ保持部１６ａは、ガイドポール１３の両下端部に固定されている。
なお、ガイドポール１３の両上端部には、第二レンズ枠７ａ及び第二レンズ枠係合部がガイドポール１３から抜けないようにするためのストッパー１３ａが設けられている。
【００３４】
折り曲げ光学部移動機構は、図４に示すように、第一レンズ枠５ａの両側面部の後方下端部に設けられた軸部１８、１８と、第一レンズ枠５ａの両側面部の前方下端部に設けられた係止部１９、１９と、コの字状の保持部材２１の側壁２１ａ、２１ｂの第一レンズ枠５ａ側の面に設けられ、軸部１８、１８を回動自在に支持する軸支持部２０、２０と、側壁２１ａ、２１ｂに設けられ、係止部１９、１９と係合し、第一レンズ枠５ａを軸部１８、１８を中心に回動可能に案内する溝部２２、２２と、第一レンズ枠５ａの軸部１８、１８に回動力を付与するモータ（図示省略）等により構成されている。
溝部２２、２２は、第一レンズ枠５ａを撮影時の位置から４５度下方に回動した収納時の位置に回動可能となるように形成されている。
従って、モータ（図示省略）によって、撮影時の位置にある第一レンズ枠５ａの軸部１８、１８に一方向（例えば、正転）に回動力が付与されると、第一レンズ枠５ａは、溝部２２、２２に沿って下方に４５度回動して収納時の位置となる。また、収納時にある第一レンズ枠５ａの軸部１８、１８に他方向（例えば、逆転）に回動力が付与されると、第一レンズ枠５ａは、溝部２２、２２に沿って上方に回動して撮影状態となる。すなわち、第一レンズ群５が下方に回転することによって、撮影レンズ装置３の全長を短縮することができる。
【００３５】
次に、撮影レンズ装置３を搭載したカメラ１の使用例を説明する。
図１に示すように、撮影時には、折り曲げ光学部４が筐体２から上方に突出する構成となっている。
【００３６】
撮影に当たっては、焦点調節と変倍を行う。焦点調節は、第四レンズ群９を光軸に沿って上下に移動させることによって行われる。変倍は、第二レンズ群７を光軸に沿って上下にスライド移動させることによって行われる。
撮影時には、被写体からの光束が、筐体２から突出している折り曲げ光学部４の第一レンズ群５の前レンズ５１を通過する。次いで、光束は折り曲げ光学部４のプリズム６によって略直角方向に折り曲げられる。折り曲げられた光束は、第一レンズ群５の後レンズ５２、第二レンズ群７、第三レンズ群８、第四レンズ群９、第五レンズ群１０を通過した後に被写体像が結像され、この被写体像はＣＣＤ１１上で撮像される。
【００３７】
次いで、非撮影時には、第二レンズ群７をシャッタユニット１２側にスライド移動させた後、図５、６に示すように、折り曲げ光学部４を下方に４５度回動させて、第二レンズ群７の移動空間ａ内（図３参照）に収納させる。
【００３８】
このように、第１の実施の形態においては、折り曲げ光学部４を回転させて筐体２に収納させることによって、撮影時における必要な光路長を確保しつつ、非撮影時におけるカメラ１の高さをより低くすることができる。
【００３９】
［第２の実施の形態］
次に、本発明に係るカメラの第２の実施の形態について説明する。
図７は、第２の実施の形態によるカメラの撮影時における前面斜視図、図８は、図７のカメラに搭載されている撮影レンズ装置の撮影時の正面図、図９は、カメラの非撮影時における前面斜視図、図１０は、図７のカメラの撮影レンズ装置のレンズ群の位置を示した模式図、図１１は、図９のカメラにおける撮影レンズ装置の正面図である。
なお、第２の実施の形態においては、折り曲げ光学部移動機構と撮像素子移動機構としてのＣＣＤ移動機構のみが第一の実施の形態と異なるため、第一の実施の形態と同様の構成については同一の符号を付し、詳細な説明は省略する。
【００４０】
図７に示すように、カメラ１００は、撮影レンズ装置３０を筐体２の前方右側に備えている。
撮影レンズ装置３０は、図８に示すように、折り曲げ光学部４を内部に収納する折り曲げ光学部収納ケース２４と、折り曲げ光学部収納ケース２４を光軸方向に移動させる折り曲げ光学部移動機構と、ＣＣＤ１１を光軸方向に移動させる撮像素子移動機構としてのＣＣＤ移動機構等を備えている。
【００４１】
折り曲げ光学部収納ケース２４は、前方に孔部を有しており、該孔部より被写体からの光束を通して、内部に収納されている折り曲げ光学部４の第一レンズ群５に集光させるようになっている。
また、折り曲げ光学部収納ケース２４の両端部には、ガイドポール１３に貫通されるガイド４ａが設けられている。
なお、ガイドポール１３の両上端部には、ガイド４ａがガイドポール１３から抜けないようにするためのストッパー１３ａが設けられている。
【００４２】
折り曲げ光学部移動機構は、折り曲げ光学部収納ケース２４と、折り曲げ光学部収納ケース２４の両端部に設けられているガイド４ａと、ガイド４ａを貫通しているガイドポール１３と、ガイド４ａをガイドポール１３に沿って移動させるモータ（図示省略）などにより構成される。
そして、モータ（図示省略）を駆動させることによって、折り曲げ光学部収納ケース２４がガイドポール１３に沿ってスライド移動する。このとき、折り曲げ光学部収納ケース２４のスライド移動に伴って、折り曲げ光学部４もスライド移動することができる。
【００４３】
ＣＣＤ移動機構は、第五レンズ群１０及びＣＣＤ１１を保持するＣＣＤ保持部１６ｂに設けられ、ガイドポール１３に貫通される貫通部１７と、ＣＣＤ保持部１６ｂを駆動するモータ（図示省略）と、ガイドポール１３などにより構成され、モータの駆動によりＣＣＤ保持部１６ｂに保持されているＣＣＤ１１が光軸方向にスライド移動可能になっている。
なお、ガイドポール１３の両下端部には、貫通部１７がガイドポール１３から抜けないようにするためのストッパー１３ｂが設けられている。
【００４４】
上記のように構成された撮影レンズ装置３０を備えるカメラ１００は、撮影時には、筐体２の前方右側上端からは折り曲げ光学部収納ケース２４が突出し、前方右側下端からはＣＣＤ１１が突出した状態となる。そして、非撮影時には、図９に示すように、折り曲げ光学部収納ケース２４及びＣＣＤ１１が筐体２に収納された状態となる。
具体的には、図８、１１に示すように、非撮影時には、第二レンズ群７をシャッタユニット１２側にスライド移動させた後、折り曲げ光学部収納ケース２４を第二レンズ群７の移動空間ａ内にスライド移動させる。この移動によって、折り曲げ光学部収納ケース２４は筐体２内に収納される。すなわち、第二レンズ群７が占有していた光路内の占有空間に、折り曲げ光学部４が移動することとなる。
また、第四レンズ群９をシャッタユニット１２側にスライド移動させた後、第五レンズ群１０及びＣＣＤ１１を第四レンズ群９の移動空間ｂ内にスライド移動させ、筐体２内に収納させる。すなわち、第四レンズ群９が占有していた光路内の占有空間内に、第五レンズ群１０及びＣＣＤ１１が移動することとなる。従って、非撮影時における撮影レンズ装置３０の全長Ｌ２は、撮影時における撮影レンズ装置３の全長Ｌ１よりも短くなる。
【００４５】
以上説明した第２の実施形態においては、折り曲げ光学部収納ケース２４を、第二レンズ群７の移動空間ａ内にスライド移動させて、且つ第五レンズ群１０及びＣＣＤ１１を第四レンズ群９の移動空間ｂ内にスライド移動させることによって、撮影レンズ装置３０の全長を短縮することができる。従って、非撮影時におけるカメラ１００の高さをより低くすることができる。
【００４６】
［第３の実施の形態］
次に、本発明に係るカメラの第３の実施の形態について説明する。
図１２は第３の実施形態によるカメラの非撮影時における撮影レンズ装置の正面図、図１３は図１２の撮影レンズ装置のレンズ群の位置を示した模式図、図１４、図１５、図１６は図１２の撮影レンズ装置のレンズ群の位置の変形例を示した模式図である。
なお、第３の実施の形態においては、撮影レンズ装置４０は、レンズ群退避移動機構を備えた点のみが第２の実施の形態と異なるため、第１、第２の実施の形態と同様の構成については同一の符号を付し、詳細な説明は省略する。
【００４７】
図１２に示すように、撮影レンズ装置４０において、第二レンズ群７を保持している第二レンズ枠７ａの右側部はガイドポール１３に貫通されており、第二レンズ枠７ａの左側部は第二レンズ枠係合部１４によってガイドポール１３に係合されて支持されている。第二レンズ枠７ａは、モータ（図示省略）の駆動により第二レンズ枠係合部１４とガイドポール１３との係合が外れることによって、ガイドポール１３を軸に回動できるようになっており、光路内の撮影位置から、光路から外れた位置、すなわち退避位置に移動することができる。
このように、第二レンズ枠７ａ、ガイドポール１３、第二レンズ枠係合部１４、モータ（図示省略）は、第二レンズ群７を撮影位置と、退避位置とに移動させるレンズ群退避移動機構として機能する。
【００４８】
また、同様に、第四レンズ群９を保持している第四レンズ枠９ａも、モータ（図示省略）の駆動により第四レンズ支持部１５とガイドポール１３との係合が外れることによって、ガイドポール１３を軸に回動できるようになっており、光路内の撮影位置から、光路から外れた位置、すなわち退避位置に移動することができる。
このように、第四レンズ枠７ａ、ガイドポール１３は、第四レンズ枠係合部１５は、第四レンズ群９を撮影位置と、退避位置とに移動させるレンズ群退避移動機構として機能する。
【００４９】
さらに、折り曲げ光学部収納ケース２４はガイド４ａを介してモータの駆動によって下方の所定の位置にスライド移動するとともに、第五レンズ群１０及びＣＣＤ１１はＣＣＤ保持部１６ｂの移動とともに上方の所定の位置にスライド移動する。すなわち、折り曲げ光学部収納ケース２４は第二レンズ群７が占有していた光路内の占有空間内に、第五レンズ群１０は、第四レンズ群９が占有していた光路内の占有空間内に、それぞれスライド移動する。
【００５０】
以上説明した第３の実施の形態においては、第二レンズ群７及び第四レンズ群９が撮影時に占有していた占有位置に折り曲げ光学部収納ケース２４、第五レンズ群１０及びＣＣＤ１１が移動することによって、第三の実施形態における撮影レンズ装置４０の全長Ｌ３は、第二の実施形態における撮影レンズ装置３０の全長Ｌ２よりもさらに短くなる。
【００５１】
なお、上記の実施形態では、折り曲げ光学部収納ケース２４と、第五レンズ群１０及びＣＣＤ１１とを光軸方向にスライド可能に構成しているが、これに限られるものではない。
例えば、図１４に示すように、折り曲げ光学部４を折り曲げ後の光軸に対して直角な軸を中心にして回転可能な構成にして、撮影レンズ装置４０´の全長を短縮して筐体２に収納させてもよい。
さらに、図１５、図１６に示すような構成も考えられる。まず、第二レンズ群７をレンズ群退避移動機構によって退避位置に回動移動させて、次いで、退避位置に第二レンズ群７を、折り曲げ後の光軸及び折り曲げ光学部４の回動軸に直角な軸を中心にして９０度下方に回動させる。次いで、例えば、図１５に示すように、折り曲げ光学部４を折り曲げ光学部移動機構によって下方にスライド移動させるか、又は、図１６に示すように、下方に４５度回転させることによって、撮影レンズ装置４０又は４０´の全長を短縮することもできる。
【００５２】
［第４の実施の形態］
図１７、図１８、図１９は、本発明に係る第４の実施の形態の折り曲げ光学部退避移動機構を説明するための図である。
第４の実施の形態においては、撮影レンズ装置５０において、折り曲げ光学部４を光路内の撮影位置と、光路から外れ且つ撮影位置よりも折り曲げ後の光の進路方向側に位置する退避位置とに移動させる折り曲げ光学部退避移動機構としてのリンク機構を備えた点と、第五レンズ群１０及びＣＣＤ１１を光路内の撮影位置と、光路から外れ且つ撮影位置よりも折り曲げ光学部４側に位置する退避位置とに移動させる撮像素子退避移動機構を備えた点のみが第１〜３の実施の形態と異なるため、第１〜３の実施の形態と同様の構成については同一の符号を付し、詳細な説明は省略する。
図１７に示すように、折り曲げ光学部退避移動機構は、一端が折り曲げ光学部４と回動自在に接続され、他端が図示しないカメラの筐体の一部に回動自在に接続されたリンク２３と、リンク２３を回転させるモータ（図示省略）を備えている。
非撮影時に、モータ（図示省略）によりリンク２３を回動させることによって、折り曲げ光学部４を退避位置に移動させて、撮影レンズ装置５０の全長を短縮する。
【００５３】
第４の実施の形態に係る折り曲げ光学部退避移動機構を備えた撮影レンズ装置５０及びカメラ（図示省略）によれば、複雑な移動機構を用いることなく折り曲げ光学部４を退避位置に移動させることができる。
【００５４】
また、例えば、図１８に示すように、折り曲げ光学部４を、光軸に対して垂直方向（例えば、カメラの筐体の幅方向）にスライドさせて、光路から外れた位置へ移動させ、さらにシャッタユニット１２側へスライドさせて、所定の退避位置へ移動させることによって撮影レンズ装置５０´の全長を短縮する構成にしてもよい。
【００５５】
さらに、例えば、図１９に示すように、折り曲げ光学部４を所定の軸を中心に回動させて、光路から外れ且つ撮影位置よりも折り曲げ後の光の進路方向側に位置する退避位置に移動させると同時に、第五レンズ群１０及びＣＣＤ１１を同様に回動させて、光路から外れ且つ撮影位置よりも折り曲げ光学部４側に位置する退避位置に移動させることによって、撮影レンズ装置５０´´の全長を短縮する構成にしてもよい。
上記構成のように、ＣＣＤ１１を退避位置に移動させる機構は、撮像素子退避移動機構として機能する。
【００５６】
なお、本発明は、上述した第１〜第４の実施形態に限定されるものではない。上記実施の形態では、撮影レンズ装置を、複数のレンズ群の光軸方向がカメラ本体の高さ方向となるように配置しているが、幅方向となるように配置してもよい。この場合は、非撮影時におけるカメラの幅方向の長さを短縮することができる。
その他、上記実施例では、撮影レンズ装置にレンズを４群設けているが、レンズ群の数はこれに限定されるものはなく、また、移動レンズ群として第二レンズ群及び第四レンズ群を設けているが、この構成に限定されるものでもない。
【００５７】
【発明の効果】
請求項１記載の発明によれば、移動レンズ群移動機構により折り曲げ光学部を移動レンズ群の移動空間内に移動させることによって、非撮影時には、該移動空間を折り曲げ光学部の収納スペースとして利用することができる。従って、撮影時に必要な光路長を確保しつつ、非撮影時における撮影レンズ装置の全長をより短縮することができる。
【００５８】
請求項２記載の発明によれば、折り曲げ光学部を所定の軸を中心に回動させることによって、移動レンズ群の移動空間内に容易に移動させることができる。
【００５９】
請求項３記載の発明によれば、折り曲げ光学部を光軸方向にスライドさせることによって、移動レンズ群の移動空間内に容易に移動させることができる。
【００６０】
請求項４記載の発明によれば、撮影時にレンズ群が占有していた光路内の占有空間内に折り曲げ光学部を移動させることによって、レンズ群の占有空間を折り曲げ光学部の収納スペースとして利用することができる。従って、撮影時に必要な光路長を確保しつつ、非撮影時における撮影レンズ装置の全長をより短縮することができる。
【００６１】
請求項５記載の発明によれば、折り曲げ光学部を光路内の撮影位置と、光路内から外れ且つ撮影位置よりも折り曲げ後の光の進路方向側に位置する退避位置とに移動させることによって、撮影時に必要な光路長を確保しつつ、非撮影時における撮影レンズ装置の全長をより短縮することができる。
【００６２】
請求項６記載の発明によれば、折り曲げ光学部をリンクを利用することによって複雑な機構を必要とせずに、退避位置へ移動させることができる。
【００６３】
請求項７記載の発明によれば、撮像素子を光軸方向に移動させることによって、非撮影時における撮影レンズ装置の全長をさらに短縮できる。
【００６４】
請求項８記載の発明によれば、撮像素子を光路内に位置する撮影位置から、光路から外れ且つ撮影位置よりも折り曲げ光学部側に位置する退避位置に移動させることによって、非撮影時における撮影レンズ装置の全長をさらに短縮することができる。
【００６５】
請求項９記載の発明によれば、折り曲げ光学部、移動レンズ群、撮像素子がシャッタユニット側に移動可能に構成されているので、折り曲げ光学部及び移動レンズ群より径の大きいシャッタユニットを移動させる必要がない。従って、シャッタユニットを移動させる場合に必要となる径方向のスペースが不要となり、撮影レンズ装置をよりコンパクト化できる。
【００６６】
請求項１０記載の発明によれば、非撮影時におけるカメラの高さをより低くすることができる。
【図面の簡単な説明】
【図１】第１の実施形態のカメラの撮影時における前面斜視図である。
【図２】図１のカメラの撮影時における撮影レンズ装置のレンズ位置を示した模式図である。
【図３】図１のカメラの撮影時における撮影レンズ装置の正面図である。
【図４】図３のカメラの折り曲げ光学部移動機構の要部の分解斜視図である。
【図５】図１のカメラの非撮影時における前面斜視図である。
【図６】図５のカメラの非撮影時おける撮影レンズ装置のレンズ群のレンズ位置を示す模式図である。
【図７】第２の実施形態のカメラの撮影時における前面斜視図である。
【図８】図７のカメラの撮影時における撮影レンズ装置の正面図である。
【図９】図７のカメラの非撮影時における前面斜視図である。
【図１０】図７のカメラの非撮影時における撮影レンズ装置のレンズ群のレンズ位置を示した模式図である。
【図１１】図７のカメラの非撮影時における撮影レンズ装置の正面図である。
【図１２】第３の実施形態のカメラの非撮影時における撮影レンズ装置の正面図である。
【図１３】図１２のカメラの非撮影時における撮影レンズ装置のレンズ群のレンズ位置を示した模式図である。
【図１４】図１２のカメラの撮影レンズ装置のレンズ群のレンズ位置の変形例を示した模式図である。
【図１５】
図１２のカメラの撮影レンズ装置のレンズ群のレンズ位置の変形例を示した模式図である。
【図１６】
図１２のカメラの撮影レンズ装置のレンズ群のレンズ位置の変形例を示した模式図である。
【図１７】
第４の実施形態における撮影レンズ装置のレンズ群のレンズ位置を示した模式図である。
【図１８】
図１７の撮影レンズ装置のレンズ群のレンズ位置の変形例を示した模式図である。
【図１９】
図１７の撮影レンズ装置のレンズ群のレンズ位置の変形例を示した模式図である。
【符号の説明】
１  カメラ
３  撮影レンズ装置
４  折り曲げ光学部
４ａ  ガイド（折り曲げ光学部移動機構）
５  第一レンズ群（折り曲げ光学部）
５ａ  第一レンズ枠（折り曲げ光学部）
６  プリズム（折り曲げ光学部）
７  第二レンズ群（移動レンズ群）
７ａ  第二レンズ枠（移動レンズ群移動機構、レンズ群退避移動機構）
８  第三レンズ群（レンズ群）
９  第四レンズ群（移動レンズ群）
９ａ  第四レンズ枠（移動レンズ群移動機構、レンズ群退避移動機構）
１０  第五レンズ群（移動レンズ群）
１１  ＣＣＤ（撮像素子）
１２  シャッタユニット
１３  ガイドポール（折り曲げ光学部移動機構、移動レンズ群移動機構、レンズ群退避移動機構）
１４  第二レンズ枠係合部（レンズ群退避移動機構）
１５  第四レンズ枠係合部（レンズ群退避移動機構）
１６ｂ  ＣＣＤ保持部（移動レンズ群移動機構、撮像素子移動機構）
１７  貫通部（移動レンズ群移動機構、撮像素子移動機構）
１８  軸部（折り曲げ光学部移動機構）
１９  係止部（折り曲げ光学部移動機構）
２０  軸支持部（折り曲げ光学部移動機構）
２１ａ  側壁（折り曲げ光学部移動機構）
２１ｂ  側壁（折り曲げ光学部移動機構）
２２  溝（折り曲げ光学部移動機構）
２３  リンク（折り曲げ光学部退避移動機構）
２４  折り曲げ光学部収納ケース（折り曲げ光学部移動機構）
３０  撮影レンズ装置
４０  撮影レンズ装置
４０´  撮影レンズ装置
５０  撮影レンズ装置
５０´  撮影レンズ装置
５０´´  撮影レンズ装置
５１  前レンズ（折り曲げ光学部）
５２  後レンズ（折り曲げ光学部）
【図１】
2005037548.tif 000003
【図２】
2005037548.tif 000004
【図３】
2005037548.tif 000005
【図４】
2005037548.tif 000006
【図５】
2005037548.tif 000007
【図６】
2005037548.tif 000008
【図７】
2005037548.tif 000009
【図８】
2005037548.tif 000010
【図９】
2005037548.tif 000011
【図１０】
2005037548.tif 000012
【図１１】
2005037548.tif 000013
【図１２】
2005037548.tif 000014
【図１３】
2005037548.tif 000015
【図１４】
2005037548.tif 000016
【図１５】
2005037548.tif 000017
【図１６】
2005037548.tif 000018
【図１７】
2005037548.tif 000019
【図１８】
2005037548.tif 000020
【図１９】
2005037548.tif 000021